(57)【要約】【課題】空気清浄機に搭載される人検知部による運転において、床面に堆積する粉塵量を人検知部からの検知信号と空気汚れを検出する空気汚れ検知部からの検知信号により想定し、人検知部からの検知信号だけで効率よく清浄運転することを目的とする。【解決手段】制御部は前記人検知部７からの活動量と前記空気汚れ検知部８からの汚れ量を同時に時系列的に記憶して活動量と汚れ量の相関関係から床面の粉塵堆積量を判断することにより、粉塵堆積量が多いと判断した場合には人の活動量が少ない場合でも運転風量を大きくし、粉塵堆積量が少ないと判断した場合には人の活動量が多くても運転風量を小さくするので効率よく運転できるという効果を得られる。【選択図】図１
2012057862.tif 000002
【特許請求の範囲】
【請求項１】
室内の空気を清浄化する空気清浄機において、吸気した汚れ空気を清浄化する清浄化手段と、前記清浄化手段に通風する送風手段と、空気汚れを検出する空気汚れ検出部と、人の活動量を判別する人検知部と、前記空気汚れ検知部と前記人検出部の情報を元に前記送風手段を制御する制御部を備え、前記制御部は前記人検知部からの活動量と前記空気汚れ検知部からの汚れ量を同時に時系列的に記憶して活動量と汚れ量の相関関係から床面の粉塵堆積量を判断して前記送風手段を制御するようにした空気清浄機。
【請求項２】
前記制御部は活動量と汚れ量をそれぞれ５段階に分類し、時系列的に記憶した活動量と汚れ量の相関関係で活動量が３段階以上の時でも汚れ量が２段階以下の場合は床面の粉塵堆積量が少ないと判断し、人検知部から検出される活動量が３段階以上の場合であっても運転風量を大きくしないことを特徴とする請求項１記載の空気清浄機。
【請求項３】
前記制御部は活動量と汚れ量をそれぞれ５段階に分類し、時系列的に記憶した活動量と汚れ量の相関関係で活動量が２段階以下の時でも汚れ量が３段階以上の場合は床面の粉塵堆積量が多いと判断し、人検知部から検出される活動量が２段階以下の場合であっても運転風量を大きくすることを特徴とする請求項１記載の空気清浄機。
【請求項４】
前記制御部は活動量と汚れ量をそれぞれ５段階に分類し、時系列的に記憶した活動量と汚れ量の相関関係で活動量が３段階以上の時には汚れ量が３段階以上の場合は床面の粉塵堆積量にかかわらず活動量に比例した運転風量で運転することを特徴とする請求項１記載の空気清浄機。
【請求項５】
前記制御部は１日分の時系列に記憶した活動量と汚れ量で床面の粉塵堆積量を判断することを特徴とする請求項１から４のいずれか一つに記載の空気清浄機。
【請求項６】
前記制御部は時系列に記憶した活動量と汚れ量の相関関係を前日の記憶したデータを元に毎日更新することを特徴とする請求項１から４のいずれか一つに記載の空気清浄機。
【請求項７】
前記制御部は時系列に記憶した活動量と汚れ量の相関関係を前日の記憶したデータを元に毎日更新した結果を表示する表示手段を設けたことを特徴とする請求項６記載の空気清浄機。
【請求項８】
前記制御部は前記人検知部からの活動量が一定期間以上検知できなかった場合に検知頻度を半減させることを特徴とする請求項１から６のいずれか一つに記載の空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機は、人検知センサーを搭載して活動量の大小によって運転風量も大小させたものが知られている（例えば、文献１参照）。
【０００３】
以下、その空気清浄機について図８〜１０を参照しながら説明する。
【０００４】
図７に示すように、前面に吸気グリル１０２、上面に吹き出しグリル１０３を配置し、吸気グリル１０２の本体１０１内に集塵フィルター１０４、さらにファンモータ１０５を備え、ファンモータ１０５の回転により吸気グリル１０２から吸い込まれた空気は集塵フィルター１０４で集塵され吹き出しグリル１０３より清浄された空気が吹き出される。
【０００５】
本体１０１の上面には操作部１０６と人検知部１０７が設けられており、また本体１０１の側面には空気汚れ検知部１０８が設けられている。制御部１０９は操作部１０６や人検知部１０７または空気汚れ検知部１０８からの入力によりファンモータ１０５の回転数を制御するものである。
【０００６】
上記構成において、制御部１０９は人検知部１０７から検出される検知度数に基づいて本体１０１を運転する自動運転モードを選択されると１分間タイマーがスタートし、１分間に人検知部１０７から検出される検知度数をカウントする。そのカウントした回数を判別し、０回であれば初期に戻り１分間タイマーを再スタートする。１回〜４回であればファンモータ１０５を弱回転にして風量弱運転を開始する。５回以上であればファンモータ１０５を強回転にて風量強運転を開始する。その後、空気汚れ検知部１０８での検知レベルに合わせて運転風量を変更して集塵するものである。
【先行技術文献】
【特許文献】
【０００７】
【特許文献１】特開平１−１６３５４６号公報
【発明の概要】
【発明が解決しようとする課題】
【０００８】
このような従来の空気清浄機では、人の検知度数だけで運転風量を決定し空気が汚れているかどうか判断せずに運転しているため、床上に粉塵が堆積していない場合には汚れが発生しないため無駄な運転をおこなってしまうという課題を有していた。また汚れを検出してから運転する場合には汚れが室内全体に広がっており集塵するためには運転時間が長くかかってしまうという課題を有していた。
【０００９】
そこで、本発明は、このような従来の課題を解決するものであり、床上の粉塵堆積量を推測した上で人の検知度数を判断するので使用環境に合わせた効率の良い集塵運転をおこなうことができる空気清浄機を提供することを目的としている。
【課題を解決するための手段】
【００１０】
そして、この目的を達成するために、本発明の空気清浄機は、室内の空気を清浄化する空気清浄機において、吸気した汚れ空気を清浄化する清浄化手段と、前記清浄化手段に通風する送風手段と、空気汚れを検出する空気汚れ検知部と、人の活動量を判別する人検知部と、前記空気汚れ検知部と前記人検知部の情報を元に前記送風手段を制御する制御部を備え、前記制御部は前記人検知部からの活動量と前記空気汚れ検知部からの汚れ量を同時に時系列的に記憶して活動量と汚れ量の相関関係から床面の粉塵堆積量を判断して前記送風手段を制御する構成としたものであり、これにより所期の目的を達成するものである。
【００１１】
また、本発明の空気清浄機は、活動量と汚れ量をそれぞれ５段階に分類し、時系列的に記憶した活動量と汚れ量の相関関係で活動量が３段階以上の時でも汚れ量が２段階以下の場合は床面の粉塵堆積量が少ないと判断し、人検知部から検出される活動量が３段階以上の場合であっても運転風量を大きくしない構成にした。
【００１２】
また、本発明の空気清浄機は、活動量と汚れ量をそれぞれ５段階に分類し、時系列的に記憶した活動量と汚れ量の相関関係で活動量が２段階以下の時でも汚れ量が３段階以上の場合は床面の粉塵堆積量が多いと判断し、人検知部から検出される活動量が２段階以下の場合であっても運転風量を大きくする構成にした。
【００１３】
また、本発明の空気清浄機は、活動量と汚れ量をそれぞれ５段階に分類し、時系列的に記憶した活動量と汚れ量の相関関係で活動量が３段階以上の時には汚れ量が３段階以上の場合は床面の粉塵堆積量にかかわらず活動量に比例した運転風量で運転する構成にした。
【００１４】
また、本発明の空気清浄機は、１日分の時系列に記憶した活動量と汚れ量で床面の粉塵堆積量を判断する構成にした。
【００１５】
また、本発明の空気清浄機は、時系列に記憶した活動量と汚れ量の相関関係を前日の記憶したデータを元に毎日更新する構成とした。
【００１６】
また、本発明の空気清浄機は、時系列に記憶した活動量と汚れ量の相関関係を前日の記憶したデータを元に毎日更新した結果を表示する表示手段を設けた構成とした。
【００１７】
また、本発明の空気清浄機は、人検知手段からの活動量が一定期間以上検知できなかった場合に検知頻度を半減させる構成とした。
【発明の効果】
【００１８】
本発明によれば、吸気した汚れ空気を清浄化する清浄化手段と、前記清浄化手段に通風する送風手段と、空気汚れを検出する空気汚れ検知部と、人の活動量を判別する人検知部と、前記汚れ検出手段と前記人検知部の情報を元に前記送風手段を制御する制御部を備え、前記制御部は前記人検知部からの活動量と前記空気汚れ検知部からの汚れ量を同時に時系列的に記憶して活動量と汚れ量の相関関係から床面の粉塵堆積量を判断して前記送風手段を制御する構成としたことにより、人の活動量に左右されず粉塵発生量を想定して効率よく清浄化運転ができるという空気清浄機を提供できる。
【図面の簡単な説明】
【００１９】
【図１】本発明の実施の形態１の空気清浄機の構造図
【図２】同制御ブロック図
【図３】同人検知手段の検知レベルと初期運転風量の相関図（（イ）人検知レベルに対する運転風量と回転数を示す図、（ロ）空気汚れ検知レベルに対する運転風量と回転数を示す図）
【図４】同制御フローチャート
【図５】同人検知レベルと同汚れ検知レベルのタイムチャートと運転風量の相関図（（イ）人検知レベルと汚れ検知レベル比較例を示す図、（ロ）人検知レベルに対する運転風量と回転数を示す図）
【図６】同人検知レベルと同汚れ検知レベルのタイムチャートと運転風量の相関図（（イ）人検知レベルと汚れ検知レベル比較例を示す図、（ロ）人検知レベルに対する運転風量と回転数を示す図）
【図７】同人検知レベルと同汚れ検知レベルのタイムチャートと運転風量の相関図（（イ）人検知レベルと汚れ検知レベル比較例を示す図、（ロ）人検知レベルに対する運転風量と回転数を示す図）
【図８】従来の空気清浄機の構造図
【図９】同人検知手段の検知レベルと運転風量の相関図
【図１０】同制御フローチャート
【発明を実施するための形態】
【００２０】
本発明の請求項１記載の発明は、吸気した汚れ空気を清浄化する清浄化手段と、前記清浄化手段に通風する送風手段と、空気汚れを検出する空気汚れ検知部と、人の活動量を判別する人検知部と、前記空気汚れ検出部と前記人検知部の情報を元に前記送風手段を制御する制御部を備え、前記制御部は前記人検知部からの活動量と前記空気汚れ検知部からの汚れ量を同時に時系列的に記憶して活動量と汚れ量の相関関係から床面の粉塵堆積量を判断して前記送風手段を制御する構成を有する。これにより人の活動により床面から舞い上がる粉塵量を想定できるので使用環境によって運転風量を最適化できるという効果を奏する。
【００２１】
また、請求項２記載の発明は、活動量と汚れ量をそれぞれ５段階に分類し、時系列的に記憶した活動量と汚れ量の相関関係で活動量が３段階以上の時でも汚れ量が２段階以下の場合は床面の粉塵堆積量が少ないと判断し、人検知部から検出される活動量が３段階以上の場合であっても運転風量を大きくしない構成を有する。これにより床面に粉塵が堆積しにくいフローリングのような環境下では人の活動量が増えても粉塵の発生量は少ないため運転風量を上げる必要はなく無駄な運転を抑えられるという効果を奏する。
【００２２】
また、請求項３記載の発明は、活動量と汚れ量をそれぞれ５段階に分類し、時系列的に記憶した活動量と汚れ量の相関関係で活動量が２段階以下の時でも汚れ量が３段階以上の場合は床面の粉塵堆積量が多いと判断し、人検知部から検出される活動量が２段階以下の場合であっても運転風量を大きくする構成を有する。これにより床面に粉塵が堆積しやすい絨毯のような環境下では人の活動量が少なくても粉塵が発生するため運転風量を上げて効率よく集塵できるという効果を奏する。
【００２３】
また、請求項４記載の発明は、活動量と汚れ量をそれぞれ５段階に分類し、時系列的に記憶した活動量と汚れ量の相関関係で活動量が３段階以上の時には汚れ量が３段階以上の場合は床面の粉塵堆積量にかかわらず活動量に比例した運転風量で運転する構成を有する。
【００２４】
これにより、人の活動量に比例して床面に堆積した粉塵が舞い上がる場合は人の活動量に合わせて運転風量も増減するので効率よく集塵できるという効果を奏する。
【００２５】
また、請求項５記載の発明は、１日分の時系列に記憶した活動量と汚れ量で床面の粉塵堆積量を判断する構成を有する。これにより、翌日から最適な運転状態に移行するので使い勝手が良くなるという効果を奏する。
【００２６】
また、請求項６記載の発明は、時系列に記憶した活動量と汚れ量の相関関係を前日の記憶したデータを元に毎日更新する構成を有する。これにより使用環境の変化にも即座に対応し効率よく集塵できるという効果を奏する。
【００２７】
また、請求項７記載の発明は、時系列に記憶した活動量と汚れ量の相関関係を前日の記憶したデータを元に毎日更新した結果を表示する表示手段を設けた構成を有する。これにより、使用者は検知状態を判別できるので使い勝手が良くなるという効果を奏する。
【００２８】
また、請求項７記載の発明は、人検知部からの活動量が一定期間以上検知できなかった場合に検知頻度を半減させる構成を有する。これにより人がいない間は余計な電力を使用せずに削減できるという効果を奏する。
【００２９】
以下、本発明の実施の形態について図面を参照しながら説明する。
【００３０】
（実施の形態１）送風手段
以下、本発明の実施の形態１について図１〜図３を参照しながら説明する。
【００３１】
図１に示すように、前面に吸気グリル２、上面に吹出しグリル３を配置し、吸気グリル２の本体１内に吸気した空気を清浄化する清浄化手段である集塵フィルター４、さらに集塵フィルター４に通風する送風手段であるファンモータ５を備え、ファンモータ５の回転により吸気グリル２から吸い込まれた空気は、集塵フィルター４で集塵され吹き出しグリル３より清浄された空気が吹き出される。
【００３２】
本体１の上面には操作部６と人の活動量を判別する人検知部７が設けられており、また本体１の側面には空気汚れ検知部８が設けられている。空気汚れ検知部８と人検知部７の情報を元にファンモータ５を制御する制御部９は人検知部７からの人検知レベルを５段階に分類し、１分間に検出される検知度数を少ない方からレベル１として検知度数の多い方をレベル５としている。また制御部９は空気汚れ検知部８からの検知レベルも５段階に分類し、汚れレベルの少ない方からレベル１として汚れレベルの多い方をレベル５としている。そして、制御部９は記憶部１０を備え、前記人検知レベルと汚れ検知レベルを同時に時系列的に記憶するものである。
【００３３】
また図３に示すように人検知部７の５段階の人検知レベルに対して初期設定としてファンモータ５の回転数を決定しており、空気汚れ検知部８の５段階の汚れレベルに対してファンモータ５の回転数を決定している。つまり、制御部９は、前記人検知レベルから得られる活動量と汚れ検知レベルから得られる汚れ量の相関関係から床面の粉塵堆積量を判断してファンモータ５の回転数を制御するものである。
【００３４】
上記構成において、制御部９は図４に示すように電源が通電されると、図３の初期設定に基づき、人検知部７で検出された１分間毎の人検知レベルに従いファンモータ５の回転数を制御して１０分間のタイマー運転をおこない、さらに空気汚れ検知部８で検出される汚れレベルに対応してファンモータ５の回転数を制御している。このとき、制御部９は記憶部１０に人検知部７で検出された人検知レベルの最大値と空気汚れ検知部８で検出された汚れレベルの最大値を２０分ごとに時系列に１日分記憶している。
【００３５】
その後、図５（イ）に示すように記憶部１０に時系列に記憶された人検知レベルと汚れ検知レベルの比較をおこない、人検知レベルが３以上の場合に空気汚れ検知レベルが２以下の場合が７０％以上の割合で存在する時は床面がフローリングのような粉塵が堆積しにくい環境であると判断して、図３（イ）に示す人検知レベルに対する回転数に比べて、図５（ロ）に示すように、人検知レベルに対してファンモータ５の回転数を低くなるように変更する。
【００３６】
また、図６（イ）に示すように人検知レベルが２以下の場合に空気汚れ検知レベルが３以上の場合が７０％以上の割合で存在する時は床面が絨毯のような粉塵が堆積しやすい環境であると判断して、図３（イ）に示す人検知レベルに対する回転数に比べて、図６（ロ）に示すように、人検知レベルに対してファンモータ５の回転数を高くなるように変更する。
【００３７】
また、図７（イ）に示すように人検知レベルが３以上の場合に空気汚れ検知レベルが３以上の場合が７０％以上の割合で存在する時は床面の状態にかかわらず人の活動量に比例して空気汚れが発生していると判断して、図３（イ）に示す人検知レベルに対する回転数に比べて、図７（ロ）に示すように、人検知レベルが小さい場合はファンモータ５の回転数も低く、人検知レベルが大きくなればファンモータ５の回転数を高くするようにファンモータ５の回転数を変更する。
【００３８】
以上のように人の活動量だけで運転風量を判断するのではなく、人の活動量とその後の空気汚れ量を比較することで使用環境の床面の粉塵堆積量を推測し、人の活動量による空気汚れの発生度合いを想定できるので、実使用に即した空気清浄運転をおこなうことができる。
【００３９】
また、本実施例では１日分の人検知部７で検出された人検知レベルと空気汚れ検知部８で検出された汚れレベルから人検知レベルに対するファンモータの回転数を決定したが、毎日比較結果を更新することで使用環境に変化があった場合でも対応できるようにすることもできる。
【００４０】
また、本実施例では人検知レベルと空気汚れレベルの比較結果により人検知レベルに対するファンモータの回転数を決定しただけで使用者には決定結果がわからないため、決定結果を表示する表示部を設けてお知らせするようにしてもよい。
【００４１】
また、本実施例では人検知部７が１分間に検出する検知度数で検出レベルを判定するため人が検出されない場合でも絶えず検出レベルを判定したが、１分間検出後の１分間は検出を停止するような１分間隔に検出頻度を変更してもその効果に差異はない。
【産業上の利用可能性】
【００４２】
本発明にかかる空気清浄機は、人の活動量を検出する人検知部を用いて運転効率を高めようとするものであり、エアコンに用いて人の活動量により温度を制御する技術としても有用である。
【符号の説明】
【００４３】
１  本体
２  吸気グリル
３  吹出しグリル
４  集塵フィルター
５  ファンモータ
６  操作部
７  人検知部
８  空気汚れ検知部
【図１】
2012057862.tif 000003
【図２】
2012057862.tif 000004
【図３】
2012057862.tif 000005
【図４】
2012057862.tif 000006
【図５】
2012057862.tif 000007
【図６】
2012057862.tif 000008
【図７】
2012057862.tif 000009
【図８】
2012057862.tif 000010
【図９】
2012057862.tif 000011
【図１０】
2012057862.tif 000012